(57)【特許請求の範囲】
【請求項１】
棒金および束紙幣のうちの少なくともいずれか一方からなる収納物を入出庫可能な現金管理装置であって、
前記収納物が立位状態で収納される収納庫と、
該収納庫に収納された前記収納物の上下方向の端面に対向可能であり該端面に沿う方向に移動して該端面の端面画像情報を取得する端面読取部と、
前記収納物の画像マスタ情報を記憶する記憶部と、
前記端面画像情報と前記画像マスタ情報とを照合して前記収納庫における前記収納物の数量検出情報および金種検出情報を取得する制御部と、を備えてなることを特徴とする現金管理装置。
【請求項２】
前記収納庫を上下二段に配置するとともに、上側に配置された一方の収納庫の底部を透明部材で構成し、
前記端面読取部は、前記上下二段の収納庫の間で移動可能とされ、下側に配置された他方の収納庫内に収納された前記収納物の上端面の端面画像情報を取得するとともに、前記一方の収納庫内に収納された前記収納物の下端面の端面画像情報を前記透明部材を介して取得することを特徴とする請求項１記載の現金管理装置。
【請求項３】
前記端面読取部は、ＣＩＳセンサまたはＣＣＤセンサを含み、
前記収納物としての棒金の端面の硬貨画像および前記収納物としての束紙幣の長辺側端面画像のうちの少なくともいずれか一方を読み取ることを特徴とする請求項１または２記載の現金管理装置。
【請求項４】
さらに、前記制御部が取得した前記収納物の前記数量検出情報および前記金種検出情報を表示する表示部を備えることを特徴とする請求項１ないし３のいずれか一項記載の現金管理装置。
【請求項５】
前記収納庫には、金種毎に前記収納物の収納位置が規定されており、
前記制御部は、前記収納物の前記端面画像情報に基づき、対応金種の前記収納位置に収納されていない異金種収納物を検出したときに警告手段により警告することを特徴とする請求項１ないし４のいずれか一項記載の現金管理装置。
【請求項６】
さらに、入庫・出庫の区別情報と、前記収納庫に対し入出庫される前記収納物の数量入力情報および金種入力情報とからなる取引入力情報が入力される入力手段を備え、
前記制御部は、前記入力手段に前記取引入力情報が入力されることで、該取引入力情報に対応する前記収納庫の開庫を許可することを特徴とする請求項１ないし５のいずれか一項記載の現金管理装置。
【請求項７】
前記制御部は、前記収納庫に対し入庫および出庫の少なくとも一方を含む一の通常取引が行われると、該一の通常取引後に対応する前記収納庫に収納された前記収納物の前記数量検出情報および前記金種検出情報を取得し、当該数量検出情報および当該金種検出情報から割り出される前記一の通常取引の数量実取引情報および金種実取引情報と、前記一の通常取引時に入力された前記数量入力情報および前記金種入力情報とを照合し、差異が存在したときに警報手段により警報することを特徴とする請求項６記載の現金管理装置。
【請求項８】
前記制御部は、通常取引以外の通常外取引で前記収納庫の開庫が許可された場合であって、該開庫が許可された収納庫が閉庫された際に、該閉庫された収納庫の前記収納物の前記数量検出情報および前記金種検出情報を取得し、当該数量検出情報および当該金種検出情報と、当該開庫の直前の前記通常取引時に入力された前記数量入力情報および前記金種入力情報から割り出される前記直前の通常取引後にあるべき前記収納物の数量割出情報および金種割出情報とを照合し、差異が存在したときに警報手段により警報することを特徴とする請求項６または７記載の現金管理装置。
【請求項９】
前記制御部は、前記端面読取部で読み込んだ前記端面画像情報を取得日時情報とともに所定期間記憶部に記憶することを特徴とする請求項１ないし８のいずれか一項記載の現金管理装置。
【発明の詳細な説明】
【技術分野】
【０００１】
本発明は、補充用の現金の管理に用いられる現金管理装置に関する。
【背景技術】
【０００２】
従来、人的ミスによって現金管理装置から出金した現金に違算が発生することを未然に防止する現金管理装置として、出納機への現金の補充と出納機からの現金の回収を行う移動可能な現金管理装置であって、出納機と情報の送受信を行う送受信手段を備え、現金を出金するときは、送受信手段により出納機から出金する現金の情報を受信して、その受信した現金の情報に基づいて現金を出金することを特徴とする現金管理装置がある（例えば特許文献１参照）。
【先行技術文献】
【特許文献】
【０００３】
【特許文献１】特開２００８−３１０５１９号公報（段落０００６，０００７）
【発明の概要】
【発明が解決しようとする課題】
【０００４】
本来現金管理装置から補充のために出金すべき現金と現金管理装置から実際に出金した現金とが一致していない場合があり、そのような場合には後の現金を集計したときに差異がでて、それにより集計のやり直し等を行う必要が生じるが、このような問題を解決し、現金管理の厳正化を図るために特許文献１記載の現金管理装置が開示されている。
【０００５】
特許文献１記載の現金管理装置によれば現金管理の厳正化が図れるものの、現金管理装置から出金するに際し、その出金に対応する装置、例えば出納機の側に現金管理装置を移動させ、さらに連結部を介して連結させる必要があり、現金管理装置を出納機から離れた任意の場所で運用するには適さない可能性があった。
【０００６】
本発明は、上記の点に鑑みなされたもので、現金管理装置を任意の場所で運用した場合であっても、現金管理の厳正化および業務効率の向上を図ることができる現金管理装置の提供を目的とする。
【課題を解決するための手段】
【０００７】
上記目的を達成するために、請求項１に係る発明は、棒金および束紙幣のうちの少なくともいずれか一方からなる収納物を入出庫可能な現金管理装置であって、前記収納物が立位状態で収納される収納庫と、該収納庫に収納された前記収納物の上下方向の端面に対向可能であり該端面に沿う方向に移動して該端面の端面画像情報を取得する端面読取部と、前記収納物の画像マスタ情報を記憶する記憶部と、前記端面画像情報と前記画像マスタ情報とを照合して前記収納庫における前記収納物の数量検出情報および金種検出情報を取得する制御部と、を備えてなることを特徴とする。
【０００８】
請求項２に係る発明は、請求項１に係る発明において、前記収納庫を上下二段に配置するとともに、上側に配置された一方の収納庫の底部を透明部材で構成し、前記端面読取部は、前記上下二段の収納庫の間で移動可能とされ、下側に配置された他方の収納庫内に収納された前記収納物の上端面の端面画像情報を取得するとともに、前記一方の収納庫内に収納された前記収納物の下端面の端面画像情報を前記透明部材を介して取得することを特徴とする。
【０００９】
請求項３に係る発明は、請求項１または２に係る発明において、前記端面読取部は、ＣＩＳセンサまたはＣＣＤセンサを含み、前記収納物としての棒金の端面の硬貨画像および前記収納物としての束紙幣の長辺側端面画像のうちの少なくともいずれか一方を読み取ることを特徴とする。
【００１０】
請求項４に係る発明は、請求項１ないし３のいずれか一項に係る発明において、さらに、前記制御部が取得した前記収納物の前記数量検出情報および前記金種検出情報を表示する表示部を備えることを特徴とする。
【００１１】
請求項５に係る発明は、請求項１ないし４のいずれか一項に係る発明において、前記収納庫には、金種毎に前記収納物の収納位置が規定されており、前記制御部は、前記収納物の前記端面画像情報に基づき、対応金種の前記収納位置に収納されていない異金種収納物を検出したときに警告手段により警告することを特徴とする。
【００１２】
請求項６に係る発明は、請求項１ないし５のいずれか一項に係る発明において、さらに、入庫・出庫の区別情報と、前記収納庫に対し入出庫される前記収納物の数量入力情報および金種入力情報とからなる取引入力情報が入力される入力手段を備え、前記制御部は、前記入力手段に前記取引入力情報が入力されることで、該取引入力情報に対応する前記収納庫の開庫を許可することを特徴とする。
【００１３】
請求項７に係る発明は、請求項６に係る発明において、前記制御部は、前記収納庫に対し入庫および出庫の少なくとも一方を含む一の通常取引が行われると、該一の通常取引後に対応する前記収納庫に収納された前記収納物の前記数量検出情報および前記金種検出情報を取得し、当該数量検出情報および当該金種検出情報から割り出される前記一の通常取引の数量実取引情報および金種実取引情報と、前記一の通常取引時に入力された前記数量入力情報および前記金種入力情報とを照合し、差異が存在したときに警報手段により警報することを特徴とする。
【００１４】
請求項８に係る発明は、請求項６または７に係る発明において、前記制御部は、通常取引以外の通常外取引で前記収納庫の開庫が許可された場合であって、該開庫が許可された収納庫が閉庫された際に、該閉庫された収納庫の前記収納物の前記数量検出情報および前記金種検出情報を取得し、当該数量検出情報および当該金種検出情報と、当該開庫の直前の前記通常取引時に入力された前記数量入力情報および前記金種入力情報から割り出される前記直前の通常取引後にあるべき前記収納物の数量割出情報および金種割出情報とを照合し、差異が存在したときに警報手段により警報することを特徴とする。
【００１５】
請求項９に係る発明は、請求項１ないし８のいずれか一項に係る発明において、前記制御部は、前記端面読取部で読み込んだ前記端面画像情報を取得日時情報とともに所定期間記憶部に記憶することを特徴とする。
【発明の効果】
【００１６】
請求項１に係る発明によれば、収納庫に立位状態で収納された収納物の上下方向の端面に対向可能な端面読取部が、収納物の上下方向の端面に沿う方向に移動してこの端面の端面画像情報を取得すると、制御部が、この端面画像情報と記憶部に記憶された画像マスタ情報とを照合して収納庫における収納物の数量検出情報および金種検出情報を取得することになる。よって、他の装置を介在させることなく、任意の場所で現金管理の厳正化および業務効率の向上を図ることができる。また、収納庫には収納物が立位状態で収納されるため、棒金および束紙幣のうちの少なくともいずれか一方からなる収納物を効率良く収納庫に収納することができることになり、加えて、収納物の上下方向の端面から端面読取部が端面画像情報を取得するため、立位状態で収納された収納物について、効率良く数量計数および金種判別可能な上下方向の端面の端面画像情報を検出することができる。
【００１７】
請求項２に係る発明によれば、端面読取部は、上下二段に配置された収納庫の間で移動することで、下側に配置された収納庫内に収納された収納物の上端面の端面画像情報を取得するとともに、上側に配置された収納庫内に収納された収納物の下端面の端面画像情報を、上側に配置された収納庫の底部を構成する透明部材を介して取得することができる。したがって、一つの共用の端面読取部で、上下二段に配置された収納庫にそれぞれ収納されている収納物の数量検出情報および金種検出情報を取得でき、装置構造を簡素化できる。
【００１８】
請求項３に係る発明によれば、ＣＩＳセンサまたはＣＣＤセンサを含む端面読取部が、収納物としての棒金の端面の硬貨画像および収納物としての束紙幣の長辺側端面画像の少なくとも一方を読み取るため、収納物の数量検出情報および金種検出情報を容易に取得できる。
【００１９】
請求項４に係る発明によれば、表示部に、制御部が取得した収納物の数量検出情報および金種検出情報を表示するため、操作担当者に、収納物の数量検出情報および金種検出情報を容易に認識させることができる。
【００２０】
請求項５に係る発明によれば、制御部が、収納物の端面画像情報に基づき、対応金種の収納位置に収納されていない異金種収納物を検出したときに、警告手段により警告するため、異金種収納物の存在を締上げ処理前に発見でき、操作ミスを未然に防止できる。
【００２１】
請求項６に係る発明によれば、入庫・出庫の区別情報と、収納庫に対し入出庫される収納物の数量入力情報および金種入力情報とからなる取引入力情報が入力手段に入力されることで、制御部が、取引入力情報に対応する収納庫の開庫を許可するため、取引入力情報に対応しない収納庫が開庫されてしまうこと等の操作ミスを未然に防止できる。
【００２２】
請求項７に係る発明によれば、制御部は、収納庫に対し入庫および出庫の少なくとも一方を含む一の通常取引が行われると、この一の通常取引後に対応する収納庫に収納された収納物の数量検出情報および金種検出情報を取得し、これらの数量検出情報および金種検出情報から割り出される前記一の通常取引の数量実取引情報および金種実取引情報と、前記一の通常取引時に入力された数量入力情報および金種入力情報とを照合し、差異が存在したときに警報手段により警報するため、操作ミスを速やかに発見し報知することができる。
【００２３】
請求項８に係る発明によれば、制御部は、通常取引以外の通常外取引で収納庫の開庫が許可された場合であって、該開庫が許可された収納庫が閉庫された際に、該閉庫された収納庫の収納物の数量検出情報および金種検出情報を取得し、これら数量検出情報および金種検出情報と、この開庫の直前の通常取引時に入力された数量入力情報および金種入力情報から割り出される直前の通常取引後にあるべき収納物の数量割出情報および金種割出情報とを照合し、差異が存在したときに警報手段により警報するため、復旧操作ミスを速やかに発見し報知することができる。
【００２４】
請求項９に係る発明によれば、制御部が、端面読取部で読み込んだ端面画像情報を取得日時情報とともに所定期間記憶部に記憶するため、事後的な検証業務の効率向上が図れる。
【図面の簡単な説明】
【００２５】
【図１】本発明の第１実施形態に係る現金管理装置を示すもので、（ａ）は正面図、（ｂ）は側面図である。
【図２】本発明の第１実施形態に係る現金管理装置の束収納庫および画像検出ユニットを示す平面図である。
【図３】本発明の第１実施形態に係る現金管理装置の棒金収納庫および画像検出ユニットを示す平面図である。
【図４】本発明の第１実施形態に係る現金管理装置の画像検出ユニットを示す斜視図である。
【図５】本発明の第１実施形態に係る現金管理装置の画像検出ユニットおよび移動機構を示す側面図である。
【図６】本発明の第１実施形態に係る現金管理装置の画像検出ユニットの変形例を示す斜視図である。
【図７】本発明の第２実施形態に係る現金管理装置を示す側面図である。
【図８】本発明の第２実施形態に係る現金管理装置の画像検出ユニット等を示す側面図である。
【図９】本発明の第２実施形態に係る現金管理装置の画像検出ユニット等の変形例を示す側面図である。
【発明を実施するための形態】
【００２６】
本発明の第１実施形態に係る現金管理装置を図１〜図６を参照して以下に説明する。
【００２７】
図１に示す第１実施形態に係る現金管理装置１１は、銀行等の金融機関の店舗の担当者側スペースに設置されて担当者により取り扱われるものであり、図２に示す単一金種の紙幣ｓが所定枚数集積されて結束テープｔで結束されてなる束紙幣（収納物）Ｔ、および図３に示す単一金種の硬貨が所定枚数集積されて包装紙で包装されてなる棒金（収納物）Ｂを入出庫可能に収納するものである。
【００２８】
図１に示すように、現金管理装置１１は、箱型の現金管理装置本体１２と、この現金管理装置本体１２の上部側にスライド開閉可能に設けられた予備貨幣等収納庫１３と、現金管理装置本体１２における予備貨幣等収納庫１３の下側にスライド開閉可能に設けられた上下に複数段（具体的には二段）の束収納庫（収納庫）１４と、現金管理装置本体１２における束収納庫１４の下側にスライド開閉可能に設けられた上下に複数段（具体的には二段）の棒金収納庫（収納庫）１５とを有している。予備貨幣等収納庫１３は、結束されていない紙幣、包装されていない硬貨、汚損紙幣や汚損硬貨等を収納するものである。
【００２９】
現金管理装置本体１２の上端部には、操作者により操作入力がなされる操作入力部（入力手段）１６と、操作者に対して視覚的および聴覚的に表示を行う表示部（警告手段，警報手段）１７と、現金管理装置１１を制御する制御部１８と、収納している棒金Ｂおよび束紙幣Ｔの数量情報および金種情報や制御用データを記憶する記憶部１９とが設けられている。
【００３０】
束収納庫１４は、束紙幣Ｔを収納するものである。束収納庫１４は、それぞれ、底部２０と底部２０の外縁部から上方に延出する枠状の囲壁部２１とを有する上方開口形状をなしており、囲壁部２１の左右側壁に設けられたスライドレール２２を介して現金管理装置本体１２に前後方向にのみ所定範囲で移動可能となるように連結されている。
【００３１】
束収納庫１４内には、図２に示すように、合成樹脂製のトレイ２４が固定されており、このトレイ２４には、束紙幣Ｔを立位状態で収納可能な左右二カ所の束収納凹部２５が、下方に凹む上方開口形状に形成されている。つまり、トレイ２４は、前壁２６と、後壁２７と、左右両側の一対の側壁２８と、一対の側壁２８間の仕切壁２９と、一対の底部３０とを有しており、前壁２６、後壁２７、一方の側壁２８および仕切壁２９と、これらで囲まれた部分の下部を閉塞する一方の底部３０とで一方の束収納凹部２５を形成し、前壁２６、後壁２７、他方の側壁２８および仕切壁２９と、これらで囲まれた部分の下部を閉塞する他方の底部３０とで、他方の束収納凹部２５を形成している。
【００３２】
各束収納凹部２５には、前壁２６と平行をなす束押さえ板３３が図示略の個別のスライド機構によって前後移動可能に設けられている。各束押さえ板３３は、それぞれ図示略のスプリングにより前壁２６に近接する方向に個別に付勢されている。
【００３３】
そして、束収納庫１４の各束収納凹部２５には、それぞれ複数の束紙幣Ｔが収納可能となっている。束紙幣Ｔは、束収納凹部２５にその上部開口を介して上方から挿入されることになり、その際に、束紙幣Ｔは、立位状態で長手方向を左右に向けた姿勢で、前壁２６と束押さえ板３３との間に挿入されることになる。挿入された束紙幣Ｔは、一つまたは複数のものが前後方向に順次集積されるようにして底部３０上に載置されることになり、この状態で前壁２６と束押さえ板３３とで挟持されて立位状態に維持される。
【００３４】
ここで、複数の束収納庫１４の各束収納凹部２５は、それぞれ収納する束紙幣Ｔの金種が、一つの束収納凹部２５に対して所定の単一金種と決められており、左右方向の幅が収納する金種の束紙幣Ｔの長さより若干広くなっている。言い換えれば、束収納庫１４には、束紙幣Ｔの収納位置である束収納凹部２５が金種毎に規定されている。よって、各束収納凹部２５には、設定金種以外の長さの長い金種の束紙幣Ｔは、適正な収納が困難となり、これにより、一部の誤収納を簡易的に規制するようになっている。また、各束収納凹部２５の近傍となる前壁２６の上面には、図示は略すがそれぞれ収納対象の金種が目視可能に明示されている。なお、各束収納凹部２５の規定の収納金種データは記憶部１９に記憶されている。
【００３５】
また、各束収納凹部２５の底部３０は、束収納凹部２５に規定金種の束紙幣Ｔが収納されると、収納された束紙幣Ｔの上端部の高さを同じ束収納庫１４内で一定にするように高さが設定されている。つまり、底部３０は、高さが低い束紙幣Ｔを収納する束収納凹部２５においては高く、高さが高い束紙幣Ｔを収納する束収納凹部２５においては低い凹凸形状となっている。よって、各束収納凹部２５には、設定金種以外の高さの高い金種の束紙幣Ｔは、適正な収納が困難となり、これによっても、一部の誤収納を簡易的に規制するようになっている。なお、日本国内で流通する紙幣の場合は、全種類、短手方向長さが一定であり収納時の高さが一定であることから、底部３０の高さも一定となる。
【００３６】
棒金収納庫１５は、棒金Ｂを収納するものである。棒金収納庫１５は、図１に示すように、それぞれ、底部５０と底部５０の外縁部から上方に延出する枠状の囲壁部５１とを有する上方開口形状をなしていて、囲壁部５１の左右側壁に設けられたスライドレール５２を介して現金管理装置本体１２に前後方向にのみ所定範囲で移動可能となるように連結されている。棒金収納庫１５内には、図３に示すように、合成樹脂製のトレイ５４が固定されており、トレイ５４には、棒金Ｂを立位状態で収納可能な複数の棒金収納凹部５５が形成されている。棒金収納凹部５５は、有底円筒状で下方に凹む上方開口形状をなしている。棒金収納凹部５５は、左右方向の位置を合わせて前後に所定の間隔で一列状に形成され、このような棒金収納凹部５５の列が左右方向に所定の間隔で複数列形成されている。
【００３７】
そして、棒金収納庫１５の各棒金収納凹部５５には、それぞれ一本のみ棒金Ｂが収納されることになる。棒金Ｂは、棒金収納凹部５５に、その上部開口を介して上方から挿入されることになり、棒金収納凹部５５の内周面で支持されて中心軸線を鉛直配置した立位状態に維持される。
【００３８】
ここで、各棒金収納凹部５５は、それぞれ収納する棒金Ｂの金種が、一の棒金収納凹部５５に対して所定の単一金種と、決められており、直径が収納する金種の棒金Ｂの直径より若干大径となっている。言い換えれば、棒金収納庫１５には、金種毎に棒金Ｂの収納位置である棒金収納凹部５５が規定されている。よって、各棒金収納凹部５５には、設定金種以外の直径の大きい金種の棒金Ｂは、適正な収納が困難となり、これにより、一部の誤収納を簡易的に規制するようになっている。また、前後方向に並ぶ同列の棒金収納凹部５５にはすべて所定の単一金種が収納されるように設定されている。なお、各棒金収納凹部５５の高さは、収納した棒金Ｂを取り出し容易とすべく上方に突出させるように設定されている。
【００３９】
また、各棒金収納凹部５５の底部５６は規定の棒金Ｂが収納されると、収納された棒金Ｂの上端部の高さを同じ棒金収納庫１５内で一定にするようになっている。つまり、底部５６は、高さが低い棒金Ｂを収納する棒金収納凹部５５においては高く、高さが高い棒金Ｂを収納する棒金収納凹部５５においては低い凹凸形状となっている。よって、各棒金収納凹部５５には、設定金種以外の高さの高い金種の棒金Ｂは、収納困難となり、これによっても、一部の誤収納を簡易的に規制するようになっている。また、各棒金収納凹部５５の近傍には、図示は略すがそれぞれ収納対象の金種が明示されている。なお、各棒金収納凹部５５の規定の収納金種データも記憶部１９に記憶されている。
【００４０】
図１に示すように、複数の束収納庫１４および複数の棒金収納庫１５のそれぞれの前面には、ロック解除時のみ点灯する表示灯６５が設けられている。また、現金管理装置本体１２には、複数の束収納庫１４および複数の棒金収納庫１５のそれぞれに対して、閉状態で個別にロックするロック機構６６が設けられている。ロック機構６６は、複数の束収納庫１４および複数の棒金収納庫１５のうちの対応する一つについて、これが操作者により閉作動されて閉状態になると自動的かつ機械的にこれを現金管理装置本体１２に対し閉状態にロックする一方、これが電気的に駆動されるとその閉状態でのロックを解除してその開作動を許容する。
【００４１】
現金管理装置本体１２には、上側の束収納庫１４、下側の束収納庫１４、上側の棒金収納庫１５および下側の棒金収納庫１５のそれぞれに、画像検出ユニット（端面読取部）７０が設けられている。これらの画像検出ユニット７０は、複数の束収納庫１４および複数の棒金収納庫１５のうちの対応する一つの直上位置に左右方向に延在する状態に配置され、この姿勢のまま、前後方向（束収納庫１４および棒金収納庫１５のスライド方向）に移動可能に設けられている。
【００４２】
図４に示すように、画像検出ユニット７０は、下部に透明材料からなる窓部７１が左右方向に延在形成されたケース７２と、このケース７２内に左右方向に延在する状態で固定された光源７３と、ケース７２内に左右方向に延在する状態で固定されて下方の窓部７１からの反射光の方向を水平方向に変更するミラー７４と、ミラー７４からの反射光つまり画像を検出するＣＣＤセンサからなる画像センサ７６とを有している。
【００４３】
画像検出ユニット７０は、現金管理装置本体１２に対し、図５に示す移動機構７７により前後方向に移動可能に支持されている。この移動機構７７は、画像検出ユニット７０の左右両側で前後方向に延在する姿勢となるように現金管理装置本体１２に固定された一対（図５に一方のみを図示）のガイド軸７８と、これらガイド軸７８にそれぞれ摺動可能に支持されるとともに画像検出ユニット７０の近接する端面に固定される一対（図５に一方のみを図示）の摺動体７９と、画像検出ユニット７０の左右両側で前後方向に離間するように現金管理装置本体１２に支持された二対（図５に一対のみを図示）のプーリ８０と、左右方向同側の前後のプーリ８０に巻回されるとともに一部が左右方向同側の摺動体７９に固定される一対（図５に一方のみを図示）のタイミングベルト８１と、一つのプーリ８０を駆動する駆動モータ８２とを有している。なお、このプーリ８０は駆動モータ８２の駆動軸８３に固定されており、この駆動軸８３に固定されたプーリ８０に対し、左右方向他側に配置されたプーリ８０は図示略の支持軸に、前後方向他側のプーリ８０は左右のものが共通の支持軸８４に、それぞれ固定されている。
【００４４】
この移動機構７７は、駆動モータ８２が、一対のタイミングベルト８１を同期回転させて一対の摺動体７９にこれらを一対のガイド軸７８に対して摺動させるように力を加えることになり、これにより、一対の摺動体７９と一体の画像検出ユニット７０が、左右方向に延在する姿勢のまま上下左右の移動が規制された状態で前後方向にのみ移動する。画像検出ユニット７０には被検出片８５が固定されており、画像検出ユニット７０が前端位置にあるとき、現金管理装置本体１２に固定された前端位置センサ８６が被検出片８５を検出することになり、画像検出ユニット７０が後端位置にあるとき、現金管理装置本体１２に固定された後端位置センサ８７が被検出片８５を検出することになる。
【００４５】
ここで、束収納庫１４に対して設けられた画像検出ユニット７０は、対応する束収納庫１４の上部近傍に設けられた移動機構７７の駆動でこの束収納庫１４の上方近接位置を移動することになる。この画像検出ユニット７０は、光源７３が、対応する束収納庫１４の左右の束収納凹部２５の全体を左右両側に越える範囲で光を照射可能であり、ミラー７４が束収納庫１４の左右の束収納凹部２５の全体を左右両側に越える範囲の反射光を反射可能であって、画像センサ７６がこの範囲の反射光を受光可能となっている。また、束収納庫１４に対して設けられた画像検出ユニット７０の移動機構７７による前端位置と後端位置との間の移動範囲は、このように左右の束収納凹部２５の全体を検出可能な画像センサ７６で、これら束収納凹部２５の前後方向の全範囲を検出可能となるように設定されている。
【００４６】
束収納庫１４に対して設けられた画像検出ユニット７０は、両側の束収納凹部２５に立位状態で収納される束紙幣Ｔのすべての上端面に対向可能であり、かつ、収納される束紙幣Ｔの高さが異なる場合であっても束紙幣Ｔのすべての上端面との近接距離を一定に保っており、これら上端面に沿う水平方向に移動して各上端面に窓部７１を介して光源７３から光を照射しつつ各上端面の端面画像データ（端面画像情報）を、窓部７１から、ミラー７４を介して画像センサ７６で取得することになり、移動機構７７により一定速度で移動させられることによって、対応する束収納庫１４の左右の束収納凹部２５の全範囲にある束紙幣Ｔの上端面の端面画像データを検出する。
【００４７】
ここで、束収納庫１４に対して設けられた画像検出ユニット７０において、画像センサ７６で検出される端面画像データは、束紙幣Ｔの上端面となる一方の長辺側の端面の画像データとなり、この端面画像データには、束紙幣Ｔの一束ずつに巻回される結束テープｔの画像および結束テープｔの左右両側の紙幣ｓの長辺側部分の端面画像が含まれる。また、この端面画像データには、束紙幣Ｔ以外の部分（空間、前壁２６、後壁２７、側壁２８、仕切壁２９および束押さえ板３３）の画像も含まれることになる。そして、制御部１８は、画像の明暗つまり光量から、光量が多い結束テープｔと、結束テープｔが巻回されずやや光量が少なくなる紙幣ｓと、紙幣ｓもなくさらに光量が少なくなる他の部分（空間、前壁２６、後壁２７、側壁２８、仕切壁２９および束押さえ板３３）とを区別することになる。また、制御部１８は、隣り合う束紙幣Ｔの結束テープｔと結束テープｔとの間の光量が少なくなる部分や、隣り合う束紙幣Ｔの結束テープｔと紙幣ｓとの間の光量が少なくなる部分を検出することで、隣り合う束紙幣Ｔの間部分を検出する。なお、束紙幣Ｔの収納時において、結束テープｔの左右方向の位置は、必ずしも所定の一側に予め決める必要はなく、図２に二点鎖線で示すように左右方向逆側になることもある。
【００４８】
そして、制御部１８は、束収納庫１４に対して設けられた画像検出ユニット７０の画像センサ７６で検出した上記の端面画像データと、記憶部１９に記憶された画像マスタデータ（画像マスタ情報）とを照合することで、上記の端面画像データから、束収納庫１４内の束紙幣Ｔの数量である数量検出データ（数量検出情報）を取得する。例えば、端面画像データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを束紙幣Ｔの数量である数量検出データとする。勿論、制御部１８は、端面画像データを、仕切壁２９で両側の束収納凹部２５のそれぞれの領域に区分することになり、束紙幣Ｔの数量検出データを各束収納凹部２５毎に取得する。
【００４９】
また、制御部１８は、束収納庫１４に対して設けられた画像検出ユニット７０の画像センサ７６で検出した上記の端面画像データと、記憶部１９に記憶された金種マスタデータ（金種マスタ情報）とを照合することで、上記の端面画像データから、束収納庫１４内の束紙幣Ｔの金種である金種検出データ（金種検出情報）を各束収納凹部２５毎に取得する。例えば、端面画像データの中で、上記のように検出した結束テープ部分のそれぞれについて、結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する束紙幣Ｔの金種とする金種検出データを取得する金種判断を行う。
【００５０】
なお、制御部１８は、束収納庫１４に対して設けられた画像検出ユニット７０の画像センサ７６で検出される両側の束収納凹部２５のそれぞれについて、規定の金種以外の金種の束紙幣Ｔが収納されていること、つまり対応金種の収納位置に収納されていない異金種束紙幣Ｔを検出すると、表示部１７に警告表示を行わせる。
【００５１】
棒金収納庫１５に対して設けられた画像検出ユニット７０は、対応する棒金収納庫１５の上部近傍に設けられた移動機構７７の駆動によってこの棒金収納庫１５の上方近接位置を移動することになる。この画像検出ユニット７０は、光源７３が、対応する棒金収納庫１５の左右方向に並んだすべての棒金収納凹部５５を左右両側に越える範囲で光を照射可能であり、ミラー７４が、対応する棒金収納庫１５の左右方向に並んだすべての棒金収納凹部５５を左右両側に越える範囲の反射光を反射可能であって、画像センサ７６がこの範囲の反射光を受光可能となっている。また、棒金収納庫１５に対して設けられた画像検出ユニット７０の移動機構７７による移動範囲は、このように左右方向に並んだすべての棒金収納凹部５５を検出可能な状態で、前後方向に並んだすべての棒金収納凹部５５を検出可能となる範囲に設定されている。
【００５２】
棒金収納庫１５に対して設けられた画像検出ユニット７０は、すべての棒金収納凹部５５に立位状態で収納される棒金Ｂの上端面に対向可能であり、かつ、収納される棒金Ｂの高さの相違に関わらず棒金Ｂの上端面との近接距離を一定に保っており、これら上端面に沿う方向に移動して各上端面に窓部７１を介して光源７３から光を照射しつつ各上端面の端面画像データ（端面画像情報）を窓部７１から、ミラー７４を介して画像センサ７６で取得することになり、移動機構７７により一定速度で移動させられることによって、対応する棒金収納庫１５の全範囲の棒金Ｂの上端面の端面画像データを検出する。
【００５３】
ここで、棒金収納庫１５に対して設けられた画像検出ユニット７０において、画像センサ７６で検出される端面画像データは、棒金Ｂの上端面となる軸方向端面の画像データとなり、この端面画像データには、棒金Ｂの端部を構成する硬貨の表面または裏面の硬貨画像が含まれる。また、この端面画像データには、トレイ５４の棒金Ｂ以外の部分の画像も含まれることになる。そして、制御部１８は、画像の明暗つまり光量から、光量が多い棒金Ｂおよびその外径と、光量が少ない棒金Ｂ内の、穴の有無を含む模様と、光量が少ない棒金Ｂ以外の部分とを区別することになる。
【００５４】
そして、制御部１８は、棒金収納庫１５に対して設けられた画像検出ユニット７０の画像センサ７６で検出した上記の端面画像データと、記憶部１９に記憶された画像マスタデータ（画像マスタ情報）とを照合することで、上記の端面画像データから、棒金収納庫１５内の棒金Ｂの数量である数量検出データ（数量検出情報）を取得する。例えば、端面画像データの中で、一つの棒金Ｂと判断できる、数量マスタデータの棒金判断基準光量データ以上の光量があり且つ数量マスタデータの棒金基準面積データ以上の纏まった面積を有する棒金部分を数えて、これを棒金Ｂの数量である数量検出データとする。勿論、制御部１８は、端面画像データを、各棒金収納凹部５５毎に区分することになり、棒金Ｂの有無を各棒金収納凹部５５毎に取得する。
【００５５】
また、制御部１８は、棒金収納庫１５に対して設けられた画像検出ユニット７０の画像センサ７６で検出した上記の端面画像データと、記憶部１９に記憶された金種マスタデータ（金種マスタ情報）とを照合することで、上記の端面画像データから、棒金収納庫１５内の棒金Ｂの金種である金種検出データ（金種検出情報）を各棒金収納凹部５５毎に取得する。例えば、端面画像データの中で、上記のように検出した棒金部分のそれぞれについて、模様データを、金種マスタデータと比較して、許容範囲内で一致する金種マスタデータに対応する金種を、この棒金部分に対応する棒金Ｂの金種とする金種検出データを取得する金種判断を行う。
【００５６】
なお、制御部１８は、棒金収納庫１５に対して設けられた画像検出ユニット７０の画像センサ７６で検出される各棒金収納凹部５５のそれぞれについて、規定の金種以外の金種の棒金Ｂが収納されていること、つまり対応金種の収納位置に収納されていない異金種棒金Ｂを検出すると、表示部１７に警告表示を行わせる。
【００５７】
以上の構成の第１実施形態に係る現金管理装置１１においては、担当者が、他の入出金機に補充する等の目的で棒金Ｂおよび束紙幣Ｔのうちの少なくともいずれか一方を取り出す出庫時、現金管理装置１１に棒金Ｂおよび束紙幣Ｔのうちの少なくともいずれか一方を収納する入庫時、および入庫と出庫とを同時に行う時には、まず、一の入出庫取引の開始にあたって、現金管理装置１１の操作入力部１６に担当者識別データを入力する。すると、制御部１８が、この入力された担当者識別データと一致するデータが記憶部１９に予め記憶された担当者識別のマスタデータにあるか否かを判定し、マスタデータにない場合、表示部１７にその旨の警告を発生させる。
【００５８】
入力された担当者識別データと一致するデータがマスタデータにある場合、制御部１８は、日時情報（取得日時情報）を含むこの一の入出庫取引の取引識別データを設定するとともに、束収納庫１４に対し入出庫される束紙幣Ｔおよび棒金収納庫１５に対し入出庫される棒金Ｂのうちの少なくともいずれか一方について少なくとも一の金種である金種入力データ（金種入力情報，取引入力情報）の入力と、入力された金種入力データのそれぞれについての入庫であるか出庫であるかの区別データ（区別情報，取引入力情報）の入力と、入力された金種入力データのそれぞれについての数量である数量入力データ（数量入力情報，取引入力情報）の入力とを促す表示を、表示部１７に表示させる。すると、担当者は、操作入力部１６に、これらの情報を入力することになり、この入力が適正である場合に限り、制御部１８は、入力データを確定する確定操作を促す表示を表示部１７に表示させて確定操作を許可する。
【００５９】
これを見た担当者により確定操作が操作入力部１６に入力されると、制御部１８は、上記した金種入力データ、区別データおよび数量入力データを表示部１７に表示させるとともに、先に設定したこの一の入出庫取引の取引識別データに関連付けて、この一の入出庫取引で入力された担当者識別データと、この一の入出庫取引にて入力された上記の金種入力データ、区別データおよび数量入力データとを記憶部１９に記憶する。
【００６０】
そして、制御部１８は、この一の入出庫取引にて入力された金種入力データに束紙幣Ｔが含まれる場合は、含まれる金種の束紙幣Ｔを収納している束収納庫１４を、一旦通常取引としてその開庫を許可し、対応するロック機構６６によりロックを解除することによって、入力された金種入力データの束紙幣Ｔが収納されている束収納庫１４を開作動可能とするとともに、開作動可能な束収納庫１４の表示灯６５を点灯させる。また、この一の入出庫取引にて入力された金種入力データに棒金Ｂが含まれる場合は、含まれる金種の棒金Ｂを収納している棒金収納庫１５を、一旦通常取引としてその開庫を許可し、対応するロック機構６８によりロックを解除することによって、入力された金種入力データの棒金Ｂが収納されている棒金収納庫１５を開作動可能とするとともに、開作動可能な棒金収納庫１５の表示灯６５を点灯させる。勿論、束収納庫１４および棒金収納庫１５のうち、入力された金種入力データの貨幣を収納していないもののロックは解除せず、表示灯６５も消灯状態を維持する。
【００６１】
制御部１８は、この一の入出庫取引にて入力された金種入力データに、例えば、一方の束収納庫１４に収納されている束紙幣Ｔが含まれる場合、この一方の束収納庫１４のロックを対応するロック機構６６により解除するとともにその表示灯６５を点灯させることになる。すると、この一方の束収納庫１４の現金管理装置本体１２からの引き出しが行われ、束紙幣Ｔの入出庫が行われた後、この一方の束収納庫１４が閉じられる。
【００６２】
このようにして、この一方の束収納庫１４が閉庫されるとロック機構６６がこの束収納庫１４を現金管理装置本体１２にロックすることになり、制御部１８は、このロックを検出すると、この一方の束収納庫１４の直上位置に設けられた画像検出ユニット７０を、前端位置にあれば後端位置に、後端位置にあれば前端位置に、移動させながら、光源７３でこの一方の束収納庫１４に収納された束紙幣Ｔに光を照射しその端面画像データを画像センサ７６で取得する。画像検出ユニット７０の移動後、制御部１８は、この一方の束収納庫１４の表示灯６５を消灯する。
【００６３】
そして、制御部１８は、画像センサ７６で検出した端面画像データから、上記のようにして、この一方の束収納庫１４の各束収納凹部２５に収納された束紙幣Ｔの数量検出データおよび個々の束紙幣Ｔの金種検出データを取得する。取得後、制御部１８は、表示部１７に、上記した金種入力データ、区別データおよび数量入力データを表示させるとともに、合わせて、この一方の束収納庫１４の識別表示と、この一方の束収納庫１４について取得した、数量検出データおよび金種検出データを総合した金種別の数量検出データとを関連付けて表示させる。
【００６４】
加えて、制御部１８は、今回取得した金種別の数量検出データと、前回の入出庫取引時に記憶部１９に記憶されたこの一方の束収納庫１４の金種別の数量検出データとから、この一方の束収納庫１４における増減分となる、今回の一の入出庫取引での、実取引の数量である数量実取引データ（数量実取引情報）および実取引の金種である金種実取引データ（金種実取引情報）を総合した金種別の数量実取引データを割り出す。そして、制御部１８は、この金種別の数量実取引データを、今回の一の入出庫取引で入力された数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【００６５】
差異が存在しなければ、制御部１８は、各束収納凹部２５の束紙幣Ｔの金種検出データと各束収納凹部２５の規定の収納金種とから、対応金種の束収納凹部２５に収納されていない異金種束紙幣Ｔが存在するか否かを判定し、異金種束紙幣Ｔが存在しなければ、この一の入出庫取引にて画像センサ７６で読み込んだ端面画像データと、今回割り出した金種別の数量実取引データと、今回取得した金種別の数量検出データとを、この一の入出庫取引の取引識別データと関連付けて記憶部１９に記憶し、この一方の束収納庫１４に対する取引が終了したと判断する。
【００６６】
差異が存在しないものの、異金種束紙幣Ｔが存在していると、制御部１８は、表示部１７に、異金種束紙幣Ｔが存在している旨と、この一方の棒金収納庫１５の識別表示と、異金種束紙幣Ｔが存在している束収納凹部２５の識別表示とを関連付けて、警報として表示させるとともに、再びこの一方の束収納庫１４に対する開庫を許可して、そのロックを対応するロック機構６６により解除することにより、この一方の束収納庫１４を開作動可能とするとともに、その表示灯６５を点灯させる。すると、この一方の束収納庫１４の現金管理装置本体１２からの引き出しが行われ、束紙幣Ｔの入れ替えが行われた後、この一方の束収納庫１４が閉じられる。
【００６７】
ロック解除後、再びこの一方の束収納庫１４が閉庫され、ロック機構６６にロックされると、制御部１８は、上記と同様にして、この一方の束収納庫１４の直上位置に設けられた画像検出ユニット７０を、前端位置にあれば後端位置に、後端位置にあれば前端位置に、移動させながら、光源７３でこの一方の束収納庫１４に収納された束紙幣Ｔに光を照射しその端面画像データを画像センサ７６で取得する。この端面画像データから、この一方の束収納庫１４の各束収納凹部２５の束紙幣Ｔの金種検出データを取得する。これを異金種束紙幣Ｔが存在しなくなるまで行う。異金種束紙幣Ｔが存在しなくなったことが検出されると、上記と同様のデータを記憶部１９に記憶する。なお、異金種束紙幣Ｔが混在する状態を解消しない限り、その後の取引をできないように設定することも可能である。
【００６８】
他方、この一方の束収納庫１４において、金種別の数量実取引データと金種別の数量入力データとに差異が存在すると、制御部１８は、表示部１７に、この一方の束収納庫１４の識別表示と、金種別の数量実取引データと金種別の数量入力データとが一致しない旨の差異の種類と、金種別の数量実取引データと金種別の数量入力データとから割り出される、取り出す束紙幣Ｔの金種別の数量と装填する束紙幣Ｔの金種別の数量とを含む差異の解消方法とを、関連付けて警報として表示させる。そして、制御部１８は、通常取引から、通常取引以外の通常外取引に移行し、再びこの一方の束収納庫１４に対する開庫を許可して、そのロックを対応するロック機構６６により解除することにより、この一方の束収納庫１４を開作動可能とするとともに、その表示灯６５を点灯させる。すると、この一方の束収納庫１４の現金管理装置本体１２からの引き出しが行われ、束紙幣Ｔの入れ替えが行われた後、この一方の束収納庫１４が閉じられる。
【００６９】
ロック解除後、再びこの一方の束収納庫１４が閉庫され、ロック機構６６にロックされると、制御部１８は、上記と同様にして、この一方の束収納庫１４の直上位置に設けられた画像検出ユニット７０を、前端位置にあれば後端位置に、後端位置にあれば前端位置に、移動させながら、光源７３でこの一方の束収納庫１４に収納された束紙幣Ｔに光を照射しその端面画像データを画像センサ７６で取得する。この端面画像データから、この一方の束収納庫１４の各束収納凹部２５に収納された束紙幣Ｔの金種別の数量検出データを取得する。
【００７０】
すると、制御部１８は、この通常外取引の開庫の直前の、今回の一の入出庫取引の通常取引にて入力された、この一方の束収納庫１４の各束収納凹部２５の束紙幣Ｔの金種別の数量入力データと、前回の入出庫取引時に記憶部１９に記憶されたこの一方の束収納庫１４の束紙幣Ｔの金種別の数量検出データとから割り出される、この通常外取引の開庫の直前の上記した通常取引後に本来あるべき数量である数量割出データおよび金種である金種割出データを総合した金種別の数量割出データを割り出す。
【００７１】
そして、この金種別の数量割出データと、今回の通常外取引の閉庫時の端面画像データに基づくこの一方の束収納庫１４の束紙幣Ｔの金種別の数量検出データとを照合する。その結果、差異が存在しなければ、制御部１８は、異金種束紙幣Ｔが存在するか否かの判定を含む上記と同様の処理を行い、異金種束紙幣Ｔが存在しない、あるいは異金種束紙幣Ｔが存在しなくなると、この一の入出庫取引にて画像センサ７６で読み込んだ端面画像データと、直前の上記した通常取引にて入力された金種別の数量入力データと、今回の通常外取引で取得した金種別の数量検出データとを、この一の入出庫取引の取引識別データと関連付けて記憶部１９に記憶し、この一方の束収納庫１４に対する取引が終了したと判断する。他方、差異が存在した場合、制御部１８は、表示部１７に、この一方の束収納庫１４の識別表示と、差異の情報とを関連付けて表示させるとともに、上記と同様に、差異に応じた処理を行う。
【００７２】
なお、この一の入出庫取引にて入力された金種入力データに他方の束収納庫１４に収納されている束紙幣Ｔの金種が含まれている場合、制御部１８は、上記した一方の束収納庫１４と同様の処理を他方の束収納庫１４に対して行うことになる。
【００７３】
制御部１８は、この一の入出庫取引にて入力された金種入力データに、例えば、一方の棒金収納庫１５に収納されている棒金Ｂが含まれる場合、この一方の棒金収納庫１５のロックを解除するとともにその表示灯６５を点灯させることになる。すると、この一方の棒金収納庫１５の現金管理装置本体１２からの引き出しが行われ、棒金Ｂの入出庫が行われた後、この一方の棒金収納庫１５が閉じられる。
【００７４】
このようにして、この一方の棒金収納庫１５が閉庫されるとロック機構６６が現金管理装置本体１２にロックすることになり、制御部１８は、このロックを検出すると、この一方の棒金収納庫１５の直上位置に設けられた画像検出ユニット７０を、前端位置にあれば後端位置に、後端位置にあれば前端位置に、移動させながら、光源７３でこの一方の棒金収納庫１５に収納された棒金Ｂに光を照射しその端面画像データを画像センサ７６で取得する。画像検出ユニット７０の移動後、制御部１８は、この一方の棒金収納庫１５の表示灯６５を消灯する。
【００７５】
そして、制御部１８は、画像センサ７６で検出した端面画像データから、上記のようにして、この一方の棒金収納庫１５の各棒金収納凹部５５に収納された棒金Ｂの数量検出データおよび個々の棒金Ｂの金種検出データを取得する。取得後、制御部１８は、表示部１７に、上記した金種入力データ、区別データおよび数量入力データを表示させるとともに、合わせて、この一方の棒金収納庫１５の識別表示と、この一方の棒金収納庫１５について取得した、数量検出データおよび金種検出データを総合した金種別の数量検出データとを関連付けて表示させる。
【００７６】
加えて、制御部１８は、今回取得した金種別の数量検出データと、前回の入出庫取引時に記憶部１９に記憶されたこの一方の棒金収納庫１５の金種別の数量検出データとから、この一方の棒金収納庫１５における増減分となる、今回の一の入出庫取引での、実取引の数量である数量実取引データ（数量実取引情報）および実取引の金種である金種実取引データ（金種実取引情報）を総合した金種別の数量実取引データを割り出す。そして、制御部１８は、この金種別の数量実取引データを、今回の一の入出庫取引で入力された数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【００７７】
差異が存在しなければ、制御部１８は、各棒金収納凹部５５の棒金Ｂの金種検出データと各棒金収納凹部５５の規定の収納金種とから、対応金種の棒金収納凹部５５に収納されていない異金種棒金Ｂが存在するか否かを判定し、異金種棒金Ｂが存在しなければ、この一の入出庫取引にて画像センサ７６で読み込んだ端面画像データと、今回割り出した金種別の数量実取引データと、今回取得した金種別の数量検出データとを、この一の入出庫取引の取引識別データと関連付けて記憶部１９に記憶し、この一方の棒金収納庫１５に対する取引が終了したと判断する。
【００７８】
差異が存在しないものの、異金種棒金Ｂが存在していると、制御部１８は、表示部１７に、異金種棒金Ｂが存在している旨と、この一方の棒金収納庫１５の識別表示と、異金種棒金Ｂが存在している棒金収納凹部５５の識別表示とを関連付けて、警報として表示させるとともに、再びこの一方の棒金収納庫１５に対する開庫を許可して、そのロックを対応するロック機構６６により解除することにより、この一方の棒金収納庫１５を開作動可能とするとともに、その表示灯６５を点灯させる。すると、この一方の棒金収納庫１５の現金管理装置本体１２からの引き出しが行われ、棒金Ｂの入れ替えが行われた後、この一方の棒金収納庫１５が閉じられる。
【００７９】
ロック解除後、再びこの一方の棒金収納庫１５が閉庫され、ロック機構６６にロックされると、制御部１８は、上記と同様にして、この一方の棒金収納庫１５の直上位置に設けられた画像検出ユニット７０を、前端位置にあれば後端位置に、後端位置にあれば前端位置に、移動させながら、光源７３でこの一方の棒金収納庫１５に収納された棒金Ｂに光を照射しその端面画像データを画像センサ７６で取得する。この端面画像データから、この一方の棒金収納庫１５の各棒金収納凹部５５の棒金Ｂの金種検出データを取得する。これを異金種棒金Ｂが存在しなくなるまで行い、異金種棒金Ｂが存在しなくなったことが検出されると、上記と同様のデータを記憶部１９に記憶する。なお、異金種棒金Ｂが混在する状態を解消しない限り、その後の取引をできないように設定することも可能である。
【００８０】
他方、この一方の棒金収納庫１５において、金種別の数量実取引データと金種別の数量入力データとに差異が存在すると、制御部１８は、表示部１７に、この一方の棒金収納庫１５の識別表示と、金種別の数量実取引データと金種別の数量入力データとが一致しない旨の差異の種類と、金種別の数量実取引データと金種別の数量入力データとから割り出される、取り出す棒金Ｂの金種別の数量と装填する棒金Ｂの金種別の数量とを含む差異の解消方法とを、関連付けて警報として表示させる。そして、制御部１８は、通常取引から、通常外取引に移行し、再びこの一方の棒金収納庫１５に対する開庫を許可して、そのロックを対応するロック機構６６により解除することにより、この一方の棒金収納庫１５を開作動可能とするとともに、その表示灯６５を点灯させる。すると、この一方の棒金収納庫１５の現金管理装置本体１２からの引き出しが行われ、棒金Ｂの入れ替えが行われた後、この一方の棒金収納庫１５が閉じられる。
【００８１】
ロック解除後、再びこの一方の棒金収納庫１５が閉庫され、ロック機構６６にロックされると、制御部１８は、上記と同様にして、この一方の棒金収納庫１５の直上位置に設けられた画像検出ユニット７０を、前端位置にあれば後端位置に、後端位置にあれば前端位置に、移動させながら、光源７３でこの一方の棒金収納庫１５に収納された棒金Ｂに光を照射しその端面画像データを画像センサ７６で取得する。この端面画像データから、この一方の棒金収納庫１５の各棒金収納凹部５５に収納された棒金Ｂの金種別の数量検出データを取得する。
【００８２】
すると、制御部１８は、この通常外取引の開庫の直前の、今回の一の入出庫取引の通常取引にて入力された、この一方の棒金収納庫１５の各棒金収納凹部５５の棒金Ｂの金種別の数量入力データと、前回の入出庫取引時に記憶部１９に記憶されたこの一方の棒金収納庫１５の棒金Ｂの金種別の数量検出データとから割り出される、この通常外取引の開庫の直前の上記した通常取引後に本来あるべき数量である数量割出データおよび金種である金種割出データを総合した金種別の数量割出データを割り出す。
【００８３】
そして、この金種別の数量割出データと、今回の通常外取引の閉庫時の端面画像データに基づくこの一方の棒金収納庫１５の棒金Ｂの金種別の数量検出データとを照合する。その結果、差異が存在しなければ、制御部１８は、異金種棒金Ｂが存在するか否かの判定を含む上記と同様の処理を行い、異金種棒金Ｂが存在しない、あるいは異金種棒金Ｂが存在しなくなると、この一の入出庫取引にて画像センサ７６で読み込んだ端面画像データと、直前の上記した通常取引にて入力された金種別の数量入力データと、今回の通常外取引で取得した金種別の数量検出データとを、この一の入出庫取引の取引識別データと関連付けて記憶部１９に記憶し、この一方の棒金収納庫１５に対する取引が終了したと判断する。他方、差異が存在した場合、制御部１８は、表示部１７に、この一方の棒金収納庫１５の識別表示と、差異の情報とを関連付けて表示させるとともに、上記と同様に、差異に応じた処理を行う。
【００８４】
なお、この一の入出庫取引にて入力された金種入力データに他方の棒金収納庫１５に収納されている棒金Ｂの金種が含まれている場合、制御部１８は、上記した一方の棒金収納庫１５と同様の処理を他方の棒金収納庫１５に対して行うことになる。
【００８５】
最後に、制御部１８は、両方の束収納庫１４および両方の棒金収納庫１５のうち、この一の入出庫取引にて入力された金種入力データの金種を収納しているものすべてについて、取引が終了したと判断すると、今回の一の入出庫取引が終了したと判断する。
【００８６】
また、操作入力部１６に在り高精査処理操作の入力がなされると、制御部１８は、すべてのロック機構６６がロック状態にあることを条件に、上側の束収納庫１４の直上位置に設けられた画像検出ユニット７０、下側の束収納庫１４の直上位置に設けられた画像検出ユニット７０、上側の棒金収納庫１５の直上位置に設けられた画像検出ユニット７０および下側の棒金収納庫１５の直上位置に設けられた画像検出ユニット７０を、並行して、前後方向の現在ある側から反対側に移動させつつ、それぞれの画像検出ユニット７０で端面画像データを取得させて、上側の束収納庫１４に収納された束紙幣Ｔの金種別の数量検出データ、下側の束収納庫１４に収納された束紙幣Ｔの金種別の数量検出データ、上側の棒金収納庫１５に収納された棒金Ｂの金種別の数量検出データおよび下側の棒金収納庫１５に収納された棒金Ｂの金種別の数量検出データを、それぞれ対応する束収納庫１４あるいは棒金収納庫１５の識別とともに、表示部１７に表示させることになる。
【００８７】
なお、記憶部１９に記憶されたデータは、所定期間記憶されることになり、所定期間経過後に制御部１８が自動的に消去する。
【００８８】
以上に述べた第１実施形態に係る現金管理装置１１によれば、束収納庫１４に立位状態で収納された束紙幣Ｔの上下方向の端面に対向可能な画像検出ユニット７０が、束紙幣Ｔの上下方向の端面に沿う方向に移動してこの端面の端面画像データを取得すると、制御部１８が、この端面画像データと記憶部１９に記憶された画像マスタデータとを照合して束収納庫１４における束紙幣Ｔの数量検出データおよび金種検出データを取得することになる。また、棒金収納庫１５に立位状態で収納された棒金Ｂの上下方向の端面に対向可能な画像検出ユニット７０が、棒金Ｂの上下方向の端面に沿う方向に移動してこの端面の端面画像データを取得すると、制御部１８が、この端面画像データと記憶部１９に記憶された画像マスタデータとを照合して棒金収納庫１５における棒金Ｂの数量検出データおよび金種検出データを取得することになる。よって、他の装置を介在させることなく、任意の場所で、束収納庫１４の束紙幣Ｔの数量検出データおよび金種検出データと、棒金収納庫１５の棒金Ｂの数量検出データおよび金種検出データとを取得できるため、現金管理の厳正化および業務効率の向上を確実に図ることができる。
【００８９】
また、束収納庫１４には束紙幣Ｔが、棒金収納庫１５には棒金Ｂが、いずれも立位状態で収納されるため、束紙幣Ｔおよび棒金Ｂを効率良く収納することができることになり、加えて、束紙幣Ｔおよび棒金Ｂの上下方向の端面から画像検出ユニット７０が端面画像データを取得するため、立位状態で収納された束紙幣Ｔおよび棒金Ｂについて、効率良く数量計数および金種判別可能な上下方向の端面の端面画像情報を検出することができる。
【００９０】
また、ＣＣＤセンサからなる画像センサ７６を含む画像検出ユニット７０が、棒金Ｂの端面の硬貨画像および束紙幣Ｔの長辺側端面画像を読み取るため、棒金Ｂおよび束紙幣Ｔの数量検出データおよび金種検出データを容易に取得できる。
【００９１】
また、表示部１７に、制御部１８が取得した束紙幣Ｔおよび棒金Ｂの数量検出データおよび金種検出データを表示するため、操作担当者に、束紙幣Ｔおよび棒金Ｂの数量検出データおよび金種検出データを容易に認識させることができる。
【００９２】
また、制御部１８が、束紙幣Ｔおよび棒金Ｂの端面画像データに基づき、対応金種の収納位置に収納されていない異金種束紙幣Ｔを検出したとき、および対応金種の収納位置に収納されていない異金種棒金Ｂを検出したときに、表示部１７により警告するため、異金種束紙幣Ｔおよび異金種棒金Ｂの存在を締上げ処理前に発見でき、操作ミスを未然に防止できる。
【００９３】
また、操作入力部１６に数量入力データおよび金種入力データが入力されることで、複数の束収納庫１４および複数の棒金収納庫１５のうち、金種入力データに対応するものの開庫を許可するため、金種入力データに対応しないものが開庫されてしまうこと等の操作ミスを未然に防止できる。
【００９４】
また、制御部１８は、束収納庫１４および棒金収納庫１５のうち少なくともいずれか一方に対し、入庫および出庫の少なくとも一方を含む一の通常取引が行われると、数量検出データおよび金種検出データを取得し、これらの数量検出データおよび金種検出データから割り出される、この一の通常取引の数量実取引データおよび金種実取引データと、この一の通常取引時に入力された数量入力データおよび金種入力データとを照合し、差異が存在したときに表示部１７により警報するため、操作ミスを速やかに発見し報知することができる。
【００９５】
また、制御部１８は、通常取引以外の通常外取引で、束収納庫１４および棒金収納庫１５の少なくともいずれか一方の開庫が許可された場合であって、この開庫が許可されたものが開庫されて閉庫された際に、数量検出データおよび金種検出データを取得し、これら数量検出データおよび金種検出データと、開庫の直前の通常取引時に入力された数量入力データおよび金種入力データから割り出される直前の通常取引後にあるべき束紙幣Ｔあるいは棒金Ｂの数量割出データおよび金種割出データとを照合し、差異が存在したときに表示部１７により警報するため、復旧操作ミスを速やかに発見し報知することができる。
【００９６】
また、制御部１８が、画像検出ユニット７０で読み込んだ端面画像データを取得日時情報とともに所定期間記憶部１９に記憶するため、事後的な検証業務の効率向上が図れる。
【００９７】
なお、以上の第１実施形態において、検出長に対して読取り素子の長さが短い画像センサ７６を採用する場合、具体的には、束収納庫１４，棒金収納庫１５の左右幅に対して長さが短い画像センサ７６を採用する場合には、ミラー７４と画像センサ７６との間にレンズ類を介挿して対応することになる。また、図６に示すように、画像検出ユニット７０がＣＩＳセンサ（ＣＭＯＳセンサ）からなる画像センサ９０を有していても良い。この場合、反射光を直接画像センサ９０で検出することになる。
【００９８】
また、第１実施形態においては、一の検出動作として、前端位置から後端位置に移動する一方向移動、または後端位置から前端位置に移動する一方向移動において、画像検出ユニット７０が端面画像データを取得する場合を例にとり説明したが、一の検出動作として、前端位置から後端位置に移動する往路および後端位置から前端位置に移動する復路の両方、あるいは後端位置から前端位置に移動する往路および前端位置から後端位置に移動する復路の両方において、画像検出ユニット７０が端面画像データを取得するようにしても良い。このようにすれば、より精度の高い管理ができることになる。
【００９９】
また、第１実施形態においては、束紙幣Ｔおよび棒金Ｂの上端面の画像を上方から画像検出ユニット７０で読み込む場合を例にとり説明したが、束収納庫１４の底部２０およびトレイ２４の底部３０を透明部材で形成し、画像検出ユニット７０を、束収納庫１４に収納された束紙幣Ｔの下端面に対向可能としこの下端面に沿う方向に移動させてこの下端面の端面画像データを取得させたり、棒金収納庫１５の底部５０およびトレイ５４の底部５６を透明部材で形成し、画像検出ユニット７０を、棒金収納庫１５に収納された棒金Ｂの下端面に対向可能としこの下端面に沿う方向に移動させてこの下端面の端面画像データを取得させたりすることも可能である。この場合、束収納庫１４の底部２０およびトレイ２４の底部３０の高さ位置は、収納される束紙幣Ｔの高さが異なる場合であっても、束紙幣Ｔの下端面の高さ位置が一定となるように設定され、また、棒金収納庫１５の底部５０およびトレイ５４の底部５６の高さ位置も、収納される棒金Ｂの高さの相違に関わらず、棒金Ｂの下端面の高さ位置が一定となるように設定されることになる。さらに、画像ユニット７０は、収納される束紙幣Ｔの下端面との近接距離が、収納される束紙幣Ｔの高さが異なる場合であっても一定になるように配置され、また、収納される棒金Ｂの下端面との近接距離も、収納される棒金Ｂの高さの相違に関わらず一定になるように、それぞれ配置される。
【０１００】
次に、本発明の第２実施形態に係る現金管理装置を主に図７〜図９を参照して第１実施形態との相違部分を中心に以下に説明する。
【０１０１】
第１実施形態においては、上下の束収納庫１４および上下の棒金収納庫１５のそれぞれの直上位置に画像検出ユニット７０を設ける場合を説明したが、第２実施形態では、図７に示すように、上下二段の近接する束収納庫１４の間に、これらに共用の画像検出ユニット７０を第１実施形態と同様の移動機構７７（図５参照）で移動可能に設けている。また、上下二段の近接する棒金収納庫１５の間にこれらに共用で画像検出ユニット７０を第１実施形態と同様の移動機構７７で移動可能に設けている。そして、上下二段のうち上側の束収納庫１４は、直下の画像検出ユニット７０で、収納している束紙幣Ｔの下端面の端面画像データを取得させることになり、よって、束収納庫１４の図８に示す底部２０と、トレイ２４の両束収納凹部２５の少なくとも図８に示す底部３０とが透明材料で構成されている。また、図示は略すが、上下二段のうち上側の棒金収納庫１５も、直下の画像検出ユニット７０で、収納している棒金Ｂの下端面の端面画像データが取得されるため、底部５０と、トレイ５４の全棒金収納凹部５５の少なくとも底部５６とが透明材料で構成されている。この場合、上側の束収納庫１４の底部２０およびトレイ２４の底部３０の高さ位置は、収納される束紙幣Ｔの高さが異なる場合であっても、束紙幣Ｔの下端面の高さ位置が一定となるように設定され、下側の束収納庫１４の底部２０およびトレイ２４の底部３０の高さ位置も、収納される束紙幣Ｔの高さが異なる場合であっても、束紙幣Ｔの上端面の高さ位置が一定となるように設定され、また、上側の棒金収納庫１５の底部５０およびトレイ５４の底部５６の高さ位置は、収納される棒金Ｂの高さの相違に関わらず、棒金Ｂの下端面の高さ位置が一定となるように設定され、下側の棒金収納庫１５の底部５０およびトレイ５４の底部５６の高さ位置は、収納される棒金Ｂの高さの相違に関わらず、棒金Ｂの上端面の高さ位置が一定となるように設定されることになる。さらに、共用の画像ユニット７０は、上側の収納庫１４に収納される束紙幣Ｔの下端面との近接距離と、下側の収納庫１４に収納される束紙幣Ｔの上端面との近接距離とが、収納される束紙幣Ｔの高さが異なる場合であっても等しく一定になるように配置され、また、上側の収納庫１５に収納される棒金Ｂの下端面との近接距離と、下側の収納庫１５に収納される棒金Ｂの上端面との近接距離とが、収納される棒金Ｂの高さの相違に関わらず等しく一定になるように、それぞれ配置される。
【０１０２】
第２実施形態の画像検出ユニット７０は、ケース７２の上下に窓部７１が形成されるとともに、ケース７２の前後に挿入孔９８が形成されている。また、第２実施形態の画像検出ユニット７０は、反射光の方向を変更するミラー７４が、その長さ方向の両端に固定された一対（図８に一方のみ図示）の回転軸１００でケース７２に回転可能に支持されている。そして、ミラー７４は、中央角度位置よりも一側では図示略のバネで付勢されて図示略のストッパに当接するまで一方向に回転させられることになり、このストッパに当接する状態では、図８（ａ）に示すように上方からの反射光を受光して画像センサ７６に向ける状態となる。また、ミラー７４は、中央角度位置よりも逆側では図示略のバネで付勢されて図示略のストッパに当接するまで逆方向に回転させられることになり、このストッパに当接する状態では、図８（ｂ）に示すように下方からの反射光を受光して画像センサ７６に向ける状態となる。
【０１０３】
そして、このミラー７４の長さ方向一端の回転軸１００には直交方向に延出するように腕部１０１が固定されており、現金管理装置本体１２には、画像検出ユニット７０が前端位置まで移動すると、挿入孔９８からケース７２内に進入して、腕部１０１に当接してこれを画像検出ユニット７０の移動力で押圧してミラー７４を受光方向が下向きとなるように回転させる前端側押圧片１０３と、画像検出ユニット７０が後端位置まで移動すると、腕部１０１に当接してこれを画像検出ユニット７０の移動力で押圧してミラー７４を受光方向が上向きとなるように回転させる後端側押圧片１０４とが固定されている。
【０１０４】
つまり、図８（ａ）に矢印Ｆで示すように画像検出ユニット７０がミラー７４の受光方向を上方に向けた状態で前端位置に向け移動すると、前端位置の直前に前端側押圧片１０３が、腕部１０１を押圧してミラー７４を中央角度位置を越えるまで反対側に回転させることになり、その結果、バネがミラー７４をその受光方向が下方に向く状態に回転させて図示略のストッパに当接させ停止させることになる。逆に、図８（ｂ）に矢印Ｒで示すように画像検出ユニット７０がミラー７４の受光方向を下方に向けた状態で後端位置に向け移動すると、後端位置の直前に後端側押圧片１０４が、腕部１０１を押圧してミラー７４を中央角度位置を越えるまで反対側に回転させることになり、その結果、バネがミラー７４をその受光方向が上方に向く状態に回転させて図示略のストッパに当接させ停止させることになる。
【０１０５】
そして、制御部１８は、上下二段の束収納庫１４において、上側の束収納庫１４の束紙幣Ｔのみを検出する場合には、画像検出ユニット７０が後端位置にあれば、これを移動機構７７により前端位置に向けて移動させながら、受光方向を上方に向けているミラー７４を介して画像センサ７６で、上側の束収納庫１４の束紙幣Ｔの下端面の端面画像データを、透明材料からなる底部２０および底部３０を介して取得することになり、画像検出ユニット７０が前端位置にあれば、これを移動機構７７により後端位置まで移動させることでミラー７４の受光方向を一旦上方に向けた後、画像検出ユニット７０を前端位置に向けて移動させながら、上記と同様にして、端面画像データを取得する。
【０１０６】
また、制御部１８は、上下二段の束収納庫１４において、下側の束収納庫１４の束紙幣Ｔのみを検出する場合には、画像検出ユニット７０が前端位置にあれば、これを移動機構７７により後端位置に向けて移動させながら、受光方向を下方に向けているミラー７４を介して画像センサ７６で、下側の束収納庫１４の束紙幣Ｔの上端面の端面画像データを取得することになり、画像検出ユニット７０が後端位置にあれば、これを移動機構７７により前端位置まで移動させることでミラー７４の受光方向を一旦下方に向けた後、画像検出ユニット７０を後端位置に向けて移動させながら、上記と同様にして、端面画像データを取得する。
【０１０７】
さらに、上下二段の束収納庫１４の両方において、束紙幣Ｔを検出する場合には、画像検出ユニット７０が後端位置にあれば、これを移動機構７７により前端位置に向けて移動させながら、受光方向を上方に向けているミラー７４を介して画像センサ７６で上側の束収納庫１４の束紙幣Ｔの下端面の端面画像データを、透明材料からなる底部２０および底部３０を介して取得することになり、前端位置にて回転することで受光方向を下方に向けたミラー７４を介して画像センサ７６で、下側の束収納庫１４の束紙幣Ｔの上端面の端面画像データを、画像検出ユニット７０を移動機構７７により後端位置に向けて移動させながら、取得することになる。逆に、画像検出ユニット７０が前端位置にあれば、これを移動機構７７により後端位置に向けて移動させながら、受光方向を下方に向けているミラー７４を介して画像センサ７６で下側の束収納庫１４の束紙幣Ｔの上端面の端面画像データを取得することになり、後端位置にて回転することで受光方向を上方に向けたミラー７４を介して画像センサ７６で、上側の束収納庫１４の束紙幣Ｔの下端面の端面画像データを、画像検出ユニット７０を移動機構７７により前端位置に向けて移動させながら、透明材料からなる底部２０および底部３０を介して取得することになる。
【０１０８】
また、制御部１８は、上下二段の棒金収納庫１５において、上側の棒金収納庫１５の棒金Ｂのみを検出する場合には、画像検出ユニット７０が後端位置にあれば、これを移動機構７７により前端位置に向けて移動させながら、受光方向を上方に向けているミラー７４を介して画像センサ７６で、上側の棒金収納庫１５の棒金Ｂの下端面の端面画像データを、透明材料からなる底部５０および底部５６を介して取得することになり、画像検出ユニット７０が前端位置にあれば、これを移動機構７７により後端位置まで移動させることでミラー７４の受光方向を一旦上方に向けた後、画像検出ユニット７０を前端位置に向けて移動させながら、上記と同様にして、端面画像データを取得する。
【０１０９】
また、制御部１８は、上下二段の棒金収納庫１５において、下側の棒金収納庫１５の棒金Ｂのみを検出する場合には、画像検出ユニット７０が前端位置にあれば、これを移動機構７７により後端位置に向けて移動させながら、受光方向を下方に向けているミラー７４を介して画像センサ７６で、下側の棒金収納庫１５の棒金Ｂの上端面の端面画像データを取得することになり、画像検出ユニット７０が後端位置にあれば、これを移動機構７７により前端位置まで移動させることでミラー７４の受光方向を一旦下方に向けた後、画像検出ユニット７０を後端位置に向けて移動させながら、上記と同様にして、端面画像データを取得する。
【０１１０】
さらに、上下二段の棒金収納庫１５の両方において、棒金Ｂを検出する場合には、画像検出ユニット７０が後端位置にあれば、これを移動機構７７により前端位置に向けて移動させながら、受光方向を上方に向けているミラー７４を介して画像センサ７６で上側の棒金収納庫１５の棒金Ｂの下端面の端面画像データを、透明材料からなる底部５０および底部５６を介して取得することになり、前端位置にて回転することで受光方向を下方に向けたミラー７４を介して画像センサ７６で、下側の棒金収納庫１５の棒金Ｂの上端面の端面画像データを、画像検出ユニット７０を移動機構７７により後端位置に向けて移動させながら、取得することになる。逆に、画像検出ユニット７０が前端位置にあれば、これを移動機構７７により後端位置に向けて移動させながら、受光方向を下方に向けているミラー７４を介して画像センサ７６で下側の棒金収納庫１５の棒金Ｂの上端面の端面画像データを取得することになり、後端位置にて回転することで受光方向を上方に向けたミラー７４を介して画像センサ７６で、上側の棒金収納庫１５の棒金Ｂの下端面の端面画像データを、画像検出ユニット７０を移動機構７７により前端位置に向けて移動させながら、透明材料からなる底部５０および底部５６を介して取得することになる。
【０１１１】
以上の構成の第２実施形態に係る現金管理装置１１によれば、画像検出ユニット７０は、上下二段に配置された束収納庫１４の間で移動することで、下側に配置された束収納庫１４内に収納された束紙幣Ｔの上端面の端面画像データを取得するとともに、上側に配置された束収納庫１４内に収納された束紙幣Ｔの下端面の端面画像データを、上側に配置された束収納庫１４の底部２０，３０を構成する透明部材を介して取得することができ、また、上下二段に配置された棒金収納庫１５の間で移動することで、下側に配置された棒金収納庫１５内に収納された棒金Ｂの上端面の端面画像データを取得するとともに、上側に配置された棒金収納庫１５内に収納された棒金Ｂの下端面の端面画像データを、上側に配置された棒金収納庫１５の底部５０，５６を構成する透明部材を介して取得することができる。したがって、一つの共用の画像検出ユニット７０で、上下二段に配置された束収納庫１４にそれぞれ収納されている束紙幣Ｔの数量検出データおよび金種検出データを取得でき、一つの共用の画像検出ユニット７０で、上下二段に配置された棒金収納庫１５にそれぞれ収納されている棒金Ｂの数量検出データおよび金種検出データを取得できるため、装置構造を簡素化できる。
【０１１２】
なお、以上の第２実施形態において、上下二段に配置された束収納庫１４と棒金収納庫１５との間で、画像検出ユニット７０を移動させるようにして、これら束収納庫１４および棒金収納庫１５に対して画像検出ユニット７０を共用しても良い。
【０１１３】
また、第２の実施形態において、光源７３の周囲を覆って光源７３の光の照射を一部の照射窓から行わせるカバーを設け、このカバーをミラー７４と同様の回転構造とし、ミラー７４が受光方向を上方向に向けたときにカバーの照射窓を上方向に向けて照射光を上方向に集中させ、ミラー７４が受光方向を下方向に向けたときに照射窓を下方向に向けて照射光を下方向に集中させるようにしても良い。このように構成すれば、光源７３の光を効果的に照射することができる。
【０１１４】
また、第２の実施形態において、ミラー７４をソレノイドで駆動して受光方向を上下に変更するようにしても良い。
【０１１５】
また、以上の第２実施形態においては、画像検出ユニット７０が画像センサ７６としてＣＣＤセンサを有する場合を例にとり説明したが、図９に示すように、画像検出ユニット７０がＣＩＳセンサからなる画像センサ９０を有していても良い。この場合、ＣＩＳセンサからなる画像センサ９０が、長さ方向の両端に固定された回転軸１１０でケース７２内で上下反転可能に支持されることになり、中央角度位置よりも上側では図示略のバネで付勢されて一方向に回転し、図示略のストッパに当接すると、検出方向を上方に向けて停止する状態となる。また、画像センサ９０は、中央角度位置よりも下側では図示略のバネで付勢されて逆方向に回転し、図示略のストッパに当接すると、検出方向を下方に向けて停止する状態となる。
【０１１６】
そして、この画像センサ９０の長さ方向一端の回転軸１１０には小ギヤ１２０が固着され、この小ギヤ１２０に噛み合うように、隣接する大ギヤ１２１が回転軸１２２に固着されて、この回転軸１２２には直交方向に延出するように腕部１１１が固定されている。ここで、小ギヤ１２０と大ギヤ１２１のギヤ比は、およそ１対２の割合となるように構成され、大ギヤ１２１が約９０度回転したときに、小ギヤ１２０は約１８０度回転するように設定されている。現金管理装置本体１２には、画像検出ユニット７０が前端位置まで移動すると、挿入孔９８からケース７２内に進入して、腕部１１１に当接してこれを画像検出ユニット７０の移動力で押圧して画像センサ７６を反転させる前端側押圧片１１３と、画像検出ユニット７０が後端位置まで移動すると、挿入孔９８からケース７２内に進入して、腕部１１１に当接してこれを画像検出ユニット７０の移動力で押圧して画像センサ７６を反転させる後端側押圧片１１４とが固定されている。
【０１１７】
図９（ａ）に矢印Ｆで示すように画像検出ユニット７０が画像センサ７６の検出方向を上方に向けた状態で前端位置に向け移動すると、前端位置の直前に前端側押圧片１１３が、腕部１１１を押圧し大ギヤ１２１および小ギヤ１２０を介して画像センサ７６を中央位置を越えるまで反対側に回転させることになり、その結果、バネが画像センサ７６をその検出方向が下方に向く状態に反転させて図示略のストッパに当接させ停止させることになる。逆に、図９（ｂ）に矢印Ｒで示すように画像検出ユニット７０が画像センサ７６の検出方向を下方に向けた状態で後端位置に向け移動すると、後端位置の直前に後端側押圧片１１４が、腕部１１１を押圧して大ギヤ１２１および小ギヤ１２０を介して画像センサ７６を中央位置を越えるまで反対側に回転させることになり、その結果、バネが画像センサ７６をその検出方向が上方に向く状態に反転させて図示略のストッパに当接させ停止させることになる。
【０１１８】
なお、以上の第２の実施形態においては、ミラー７４または画像センサ９０を図示略のバネで付勢していたが、このバネは必ずしも必要ではなく、腕部１０１，１１１が、前端側押圧片１０３，１１３または後端側押圧片１０４，１１４に当接することのみで、ミラー７４または画像センサ９０の向きを反転させる構成としても良い。
【０１１９】
さらに、第１，第２の実施形態においては、束紙幣Ｔを入出庫可能に収納する束収納庫１４および棒金Ｂを入出庫可能に収納する棒金収納庫１５の両方を設ける場合を例にとり説明したが、束収納庫１４および棒金収納庫１５のいずれか一方のみを有する現金管理装置としても良い。
【符号の説明】
【０１２０】
１１  現金管理装置
１２  現金管理装置本体
１４  束収納庫（収納庫）
１５  棒金収納庫（収納庫）
１６  操作入力部（入力手段）
１７  表示部（警告手段，警報手段）
１８  制御部
１９  記憶部
７０  画像検出ユニット（端面読取部）
Ｂ  棒金（収納物）
Ｔ  束紙幣（収納物）
【図１】
0005409420.tif 000002
【図２】
0005409420.tif 000003
【図３】
0005409420.tif 000004
【図４】
0005409420.tif 000005
【図５】
0005409420.tif 000006
【図６】
0005409420.tif 000007
【図７】
0005409420.tif 000008
【図８】
0005409420.tif 000009
【図９】
0005409420.tif 000010